(57)【要約】【課題】例えば書籍等の厚みのある原稿であっても、充分な圧力で原稿を押さえることができ、押圧面を閉じた状態を維持することができる原稿押さえ装置を提供する。【解決手段】装置本体の一面に原稿の画像を読み取るために設けられた窓部と、前記一面の外側から前記窓部を覆い、且つ前記原稿を前記窓部に密着保持するように装置本体に離接可能に支持される原稿押さえ部とを有する画像読取装置において、前記原稿押さえ部を前記一面に閉じた状態で保持する本体側保持機構及び原稿押さえ部側保持機構を、前記窓部の周囲及びその対向位置に配置し、前記原稿押さえ部の原稿押圧領域の少なくとも一部が、原稿の厚み方向に退避可能とする。【選択図】図１
2007310235.tif 000002
【特許請求の範囲】
【請求項１】
装置本体の一面に原稿の画像を読み取るために設けられた窓部と、前記一面の外側から前記窓部を覆い、且つ前記原稿を前記窓部に密着保持するように装置本体に離接可能に支持される原稿押さえ部とを有する画像読取装置において、
前記原稿押さえ部を前記一面に閉じた状態で保持する本体側保持機構及び原稿押さえ部側保持機構を、前記窓部の周囲及びその対向位置に配置し、
前記原稿押さえ部の原稿押圧領域の少なくとも一部が、原稿の厚み方向に退避可能になっていることを特徴とする画像読取装置。
【請求項２】
前記原稿押さえ部には、原稿押圧領域の背面側を含む一部が、原稿押さえ部本体と弾性部材を介して原稿の厚み方向に退避可能となる退避部を備えており、該退避部が前記原稿との接触によって退避したとき、前記弾性部材によって前記原稿を前記窓部に押圧することを特徴とする請求項１に記載の画像読取装置。
【請求項３】
前記窓部の一部を隠蔽可能な白板であり、原稿周囲からの画像読取光漏洩を防止する遮蔽板を、前記装置本体の一面に着脱自在又は移動自在に設けたことを特徴とする請求項１又は２に記載の画像読取装置。
【請求項４】
前記本体側保持機構は電磁石であり、前記原稿押さえ部側保持機構は磁性部材であることを特徴とする請求項１乃至３の何れかに記載の画像読取装置。
【請求項５】
請求項１乃至４の何れかに記載の画像読取装置を備えたことを特徴とする画像形成装置。
【発明の詳細な説明】
【技術分野】
【０００１】
本発明は、複写機やスキャナ等に用いられる、画像読取装置及び画像形成装置に関するものである。
【背景技術】
【０００２】
一般に複写機、スキャナ等の原稿読取機構を備えた装置では、原稿を複写機本体上の画像読取部上の所定の位置に置き、その原稿の上方から原稿押さえ部を閉じて押し付けることで原稿の被読取面を原稿読取部に押し付け、その状態で原稿読取部下方から原稿読取機構により原稿を読み取っている。
従って、原稿の被読取面を原稿読取部に出来る限り密着させる必要があり、そのために、原稿の形態によって必要な圧力は異なるがある程度以上の圧力で押圧面によって原稿を原稿読取部に押し付けなくてはならない。
【０００３】
そのためには、原稿押さえ部の重量を増加させれば圧力は増加するが、その場合、原稿を一枚づつ載置するマニュアル操作の際に原稿押さえ部の重量が負担となり開閉の操作性が損なわれるという問題がある。
また、原稿押さえ部と装置本体とに磁石と磁性体を設けることで、原稿押さえ部が閉じたときに、磁石と磁性体が接近して吸引することによって圧力は増加するが、磁石の磁力が強すぎると原稿押さえ部を開く際の操作性が損なわれ、一方磁石の磁力が弱すぎると、必要な圧力がかからなくなるという問題がある。
【０００４】
そのため、特許文献１には、原稿押さえ部を所定状態に保持するために電磁石機構をこの開閉部と装置本体に設けるとともに、この電磁石機構の磁力による保持能力を装置の状態により変化させる制御機構を設けた開閉機構が開示されている。
特許文献１に開示された発明を用いることで、例えば装置の作動時に電磁石機構の保持能力が強くなるようにすれば、原稿押さえ部が閉じた状態に確実に保持され、浮き上がったり不用意に開くことによる不都合がなくなる。また、装置の待機時には電磁石機構の保持能力が弱くなるようにすれば、開閉操作の際に開閉部に無理な力が加わって歪みが生じるようなこともなく開閉操作が容易になる。さらに、電磁石機構は、磁力の強さを無段階に変化させることができるので、保持能力の大きさを自在に調整することができる。
【０００５】
【特許文献１】特開昭６１−１３４７５１号公報
【発明の開示】
【発明が解決しようとする課題】
【０００６】
しかしながら、特許文献１に開示された方法では、例えば書籍等の厚物原稿を読み取る際、その厚みによって原稿押さえ部と装置本体が接近することができない、即ち原稿押さえ部に設けた電磁石機構と装置本体に設けた電磁石機構が接近することができないため、電磁石機構が働かず、原稿押さえ部を保持することができず、原稿押さえ部が浮き上がったり不用意に開いてしまい、押さえつける圧力が不充分となるため複写後の画像が歪んでしまったり、周囲から光が入り複写後の画像にベタ画像が生じトナーの消費が多くなったり、原稿読み取り時の光が外部へ漏れて装置作業者にとって眩しい、という問題がある。
従って、本発明はかかる従来技術の問題に鑑み、例えば書籍等の厚物原稿であっても、充分な圧力で原稿を押さえることができ、原稿押さえ部を閉じた状態を維持することができる原稿押さえ装置を提供することを目的とする。
【課題を解決するための手段】
【０００７】
上記課題を解決するため本発明においては、
装置本体の一面に原稿の画像を読み取るために設けられた窓部と、前記一面の外側から前記窓部を覆い、且つ前記原稿を前記窓部に密着保持するように装置本体に離接可能に支持される原稿押さえ部とを有する画像読取装置において、前記原稿押さえ部を前記一面に閉じた状態で保持する本体側保持機構及び原稿押さえ部側保持機構を、前記窓部の周囲及びその対向位置に配置し、前記原稿押さえ部の原稿押圧領域の少なくとも一部が、原稿の厚み方向に退避可能になっていることを特徴とする。
【０００８】
このことにより、装置本体の一面の窓部に原稿を配置し、原稿押さえ部によって前記一面の外側から前記窓部を覆い、且つ前記原稿を前記窓部に密着保持するとき、原稿押さえ部の原稿押圧領域の一部が原稿の厚みの分だけ移動するため、装置本体側保持機構と原稿押さえ部側保持機構とが接近することができないという事態を避けることができ、したがって、前記装置本体側保持機構と原稿押さえ部側保持機構の保持能力によって前記原稿押さえ部を閉じた状態に保持することができる。
前記装置本体側保持機構及び原稿押さえ部側保持機構には例えば電磁石、永久磁石、マジックテープ（登録商標）を例示することができる。
【０００９】
さらに、前記原稿押さえ部には、原稿押圧領域の背面側を含む一部が、原稿押さえ部本体と弾性部材を介して原稿の厚み方向に退避可能となる退避部を備えており、該退避部が前記原稿との接触によって退避したとき、前記弾性部材によって前記原稿を前記窓部に押圧することを特徴とする。
【００１０】
このことにより、例えば書籍等の厚物原稿を用いた場合においても、原稿押さえ部の原稿押圧領域の一部が原稿の厚みの分だけ移動するため、押圧面と装置本体の電磁石機構が接近することができないという事態を避けることができ、前記装置本体側保持機構と原稿押さえ部側保持機構の保持能力によって前記原稿押さえ部を閉じた状態に保持することができるとともに、弾性体の弾性力によって原稿押さえ部で原稿を押さえることができるため、効果的に原稿に圧力をかけることができる。
弾性体としては例えばバネを利用することが、安価に入手することができ、さらに原稿を押さえるために適度な圧力をかけることができるため好ましい。
【００１１】
また、前記窓部の一部を隠蔽可能な白板であり、原稿周囲からの画像読取光漏洩を防止する遮蔽板を、前記装置本体の一面に着脱自在又は移動自在に設けたことを特徴とする。
厚物原稿を読み取る際、厚物原稿の周縁には光漏洩部が形成される。しかし、遮蔽板を設けて光漏洩部を隠蔽することにより、複写後に光漏洩部分の画像が黒くなってトナーの消費が多くなったり、綺麗な画像が得られなくなることを防ぐことができる。
【００１２】
さらに、前記本体側保持機構は電磁石であり、前記原稿押さえ部側保持機構は磁性部材であることを特徴とする。
このことにより、例えば装置の作動時に電磁石機構の保持能力が強くなるようにし、装置の待機時には電磁石機構の保持能力が弱くなるようにすれば、電磁石機構の保持能力によって原稿押さえ部を閉じた状態に保持することができるとともに、開閉操作の際に原稿押さえ部に無理な力が加わって歪みが生じることもなく開閉操作が容易になる。
さらに、電磁石機構は、磁力の強さを無段階に変化させることができるので、保持能力の大きさを自在に調整することができる。
【００１３】
さらに、前記何れかの画像読取装置を備えたことを特徴とする画像形成装置を用いることにより、原稿読取装置部では、例えば書籍等の厚みのある原稿であっても、充分な圧力で原稿を押さえることができ、原稿押さえ部を閉じた状態を維持することができるため、原稿読取をスムースに行うことができ、従って画像形成装置における画像形成もスムース化が図れる。
【発明の効果】
【００１４】
以上記載のごとく本発明によれば、シート状の薄い原稿だけでなく、書籍等の厚い原稿を用いた場合であっても、原稿押さえ部を閉じた状態に保って原稿に圧力をかけることができるとともに、開閉操作の際に原稿押さえ部に無理な力が加わって歪みが生じることもなく開閉操作が容易となる。
したがって、例えば書籍等の厚みのある原稿であっても、充分な圧力で原稿を押さえることができ、原稿押さえ部を閉じた状態を維持することができる原稿押さえ装置を提供することができる。
【発明を実施するための最良の形態】
【００１５】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１６】
図１は、本実施例１に係る複写機の原稿押さえ部を開けた状態の斜視図である。複写機は、原稿の複写を行う複写機本体２と、複写機本体２に置かれた原稿を押さえる原稿押さえ部１と、複写機の使用者が操作を行う複写機操作部４から構成されている。原稿押さえ部１は、後方端辺がヒンジ５を介して複写機本体２の上面に取り付けられ、前方を扇動することにより、複写機本体２の上面に設けられた原稿を読み取る面である窓部６上に乗せられた原稿を押さえたり、押さえを解除したりすることができる。
【００１７】
このような図１に示した複写機を用いて原稿を複写する際は、まず原稿を複写機本体２の上面に設けられた窓部６上の所定の位置に置き、その原稿の上方から原稿押さえ部１を閉じて押し付けることで原稿の被読取面を窓部６に押し付け、その状態で窓部６下方から原稿読取機構により原稿を読み取る。
【００１８】
この時、原稿の被読取面を窓部６に出来る限り密着させる必要があり、そのために、原稿の形態によって必要な圧力は異なるが、ある程度以上の圧力で押圧面によって原稿を窓部６に押し付けなくてはならないため、原稿押さえ部１に電磁石８を配置し、複写機本体２の該電磁石８の位置に対応する位置に磁性体９を配置した。
そして、該電磁石８及び磁性体９からなる電磁石機構は、複写機の作動時には保持能力が強くなり、複写機の待機時には電磁石機構の保持能力が弱くなるようにした。
【００１９】
さらに、原稿押さえ部１の押圧領域に位置する原稿押さえ部の原稿押圧領域７を、原稿押さえ部本体から分離し、該分離した原稿押さえ部の原稿押圧領域７と原稿押さえ部本体３間を圧縮方向に弾性力が付勢される弾性部材であるバネによって接続し、前記分離した原稿押さえ部の原稿押圧領域７が厚物原稿を押圧した時に前記弾性力に抗して複写機本体２の窓部６から離間する方向に移動できるようにした。
【００２０】
図２は、原稿押さえ部１の断面図である。原稿押さえ部１の原稿押圧領域７の断面積は複写機本体２の窓部６の面積と同じにした。また、原稿押圧領域７には、原稿押圧領域７の最外端よりも内側の４箇所にバネを配置する空間１０を設け、それぞれのバネを配置する空間１０内にバネ１１を設けて該バネ１１により原稿押圧領域７と原稿押さえ部本体３を接続した。
バネを設置する空間１０及びバネ１１の位置は特に限定されるものではないが、原稿押圧領域７が移動したときにできる空間に開口部ができないように、バネを設置する空間１０の位置は原稿押圧領域７の最外端ではないことが好ましい。また、バネを設置する空間１０及びバネの個数についても特に限定されるものではないが、複数個のバネを設置する空間１０及びバネ１１を設け、原稿押圧領域７によって原稿に均等に圧力をかけることができる位置に配置することが好ましい。
【００２１】
図３は図２におけるＡ−Ａ断面図である。原稿押さえ部１は原稿押圧領域７と原稿押さえ部本体１２に分離されており、原稿押圧領域７にはバネを設置する空間１０と、該バネを設置する空間１０内にバネ１１を設け、バネ１１によって原稿押圧領域７と原稿押さえ部本体１２を接続した。そして、バネを設置する空間１０の位置は、原稿押圧領域７の最外端１４よりも内側とした。
【００２２】
図４は書籍１３の複写時における複写機の断面図である。複写機本体２上の窓部６に書籍１３を被複写面を窓部６側に向けて置き、原稿押さえ部１を閉じた。この時、原稿押さえ部１に設けた電磁石８と複写機本体に設けた磁性体９が接近するため、複写機作動時には電磁石機構が働き保持能力が高くなり、原稿押さえ部１は開きにくくなった。
【００２３】
さらに、原稿１３の厚みの分だけ原稿押圧領域７が窓部６から離間する方向に移動し、移動距離分だけバネ１１が伸びた。このようにバネ１１が伸びることによりバネの弾性力によって、書籍１３は原稿押圧領域７から窓部６方向への圧力を受けた。
【００２４】
そして、窓部６下方から図示しない原稿読取機構により原稿を読み取り複写を行った際、原稿押さえ部１が浮き上がったりすることもなく、綺麗に複写することができた。
書籍１３は、綴じ目１３ａがあるため、複写時には厚い原稿であるが、前記電磁石機構による保持能力と、バネ１１の弾性力によって原稿押圧領域７から受ける圧力によって書籍１３が適度な圧力で窓部６に押し付けられたためである。図５に書籍１３の複写時における複写機１の斜視図を示した。図５に示したように複写機に置かれた書籍にはバネの弾性力による力１６と電磁石機構による力１７がかかっている。
【００２５】
また、バネの位置する空間１０及びバネ１１を原稿押さえ部の背面側の最外端１４よりも内側に位置させたため、原稿押圧領域７を移動したときにできる空間１５、すなわち書籍１３の位置する空間は外部との開口部を有さず、外部から光が入り複写後の画像にベタ画像が生じトナーの消費が多くなったり、原稿読み取り時の光が外部へ漏れて装置作業者にとって眩しいという問題は発生しなかった。
【実施例２】
【００２６】
図６は本実施例２に係る複写機本体２の平面図である。複写機本体２上の窓部６に原稿である書籍１３を乗せ、書籍１３の光漏洩部１８に遮蔽板１９を添えた。
図７は図６におけるＢ−Ｂ断面図である。書籍１３を見開きで窓部６に置いたとき、複写に不要な光漏洩部１８に遮蔽板１９を添えた。
遮蔽板１９は白地の板であり、光漏洩部１８以上の大きさであれば何でもよい。また、前記電磁石８と磁性体９による電磁石機構の働きを妨げないために、出来る限り薄い方が好ましい。
【００２７】
本実施例２においては、図６、図７に示したように遮蔽板１９を添えたこと以外は、前記実施例１と同じとし、原稿である書籍１３の見開きページの複写を行った。
その結果、前記実施例１と同様に原稿押圧部１が浮き上がったりすることもなく、綺麗に複写することができた。また、周囲から光が入り複写後の画像にベタ画像が生じトナーの消費が多くなったり、原稿読み取り時の光が外部へ漏れて装置作業者にとって眩しいという問題は発生しなかった。
さらに、遮蔽板１９を添えない場合、複写に不要な光漏洩部１８が複写されてしまうが、遮蔽板１９を添えたことにより不要な光漏洩部１８を複写することがないため、余分な画像が生じることなく綺麗な複写物を得ることができた。さらに、光漏洩部１８を複写する分のトナー使用量の削減をもすることができた。
【産業上の利用可能性】
【００２８】
本発明によれば、例えば書籍等の厚みのある原稿であっても、充分な圧力で原稿を押さえることができ、原稿押さえ部を閉じた状態を維持することができるため、複写機、スキャナ等の画像読取装置及び画像形成装置として用いられる。
【図面の簡単な説明】
【００２９】
【図１】本実施例１に係る複写機の原稿押さえ部を開けた状態の斜視図である。
【図２】原稿押さえ部の断面図である。
【図３】図２におけるＡ−Ａ断面図である。
【図４】書籍の複写時における複写機の断面図である。
【図５】書籍の複写時における複写機の斜視図である。
【図６】本実施例２に係る複写機本体の平面図である。
【図７】図６におけるＢ−Ｂ断面図である。
【符号の説明】
【００３０】
１    原稿押さえ部
２    複写機本体
３    原稿押さえ部本体
６    原稿読取部
７    原稿押圧領域
８    電磁石
９    磁性体
１１    バネ（弾性体）
１５    スライドしたときにできる空間
１９    遮蔽板
【図１】
2007310235.tif 000003
【図２】
2007310235.tif 000004
【図３】
2007310235.tif 000005
【図４】
2007310235.tif 000006
【図５】
2007310235.tif 000007
【図６】
2007310235.tif 000008
【図７】
2007310235.tif 000009